(57)【要約】【課題】製本印刷の利便性を向上させること。【解決手段】情報処理装置は、冊子のデータに含まれる複数のページデータと印刷設定情報に基づいてその冊子を構成するシートの印刷結果を示すシートプレビュー画像とシートの選択を受け付けるためのインタフェースとが含まれる設定画面を表示させ、設定画面においてそのインタフェースを介したシートの選択をユーザから受け付けることにより、印刷を実行するシートを特定する。【選択図】  図１
2020004272.tif 000002
【特許請求の範囲】
【請求項１】
冊子のデータに含まれる複数のページデータと印刷設定情報に基づいて当該冊子を構成するシートの印刷結果を示すシートプレビュー画像と当該シートの選択を受け付けるためのインタフェースとが含まれる設定画面を表示手段に表示させる表示制御手段と、
前記設定画面において前記インタフェースを介したシートの選択をユーザから受け付けることにより、印刷を実行するシートを特定する特定手段と、
を有することを特徴とする情報処理装置。
【請求項２】
前記表示制御手段は、
前記冊子のとじ方が第１のとじ方である場合に、第１のレイアウトを用いて前記ページデータが割り付けられた前記シートプレビュー画像を含む前記設定画面を前記表示手段に表示させ、
前記冊子のとじ方が前記第１のとじ方と異なる第２のとじ方である場合に、前記第１のレイアウトと異なる第２のレイアウトを用いて前記ページデータが割り付けられた前記シートプレビュー画像を含む前記設定画面を前記表示手段に表示させる、
ことを特徴とする請求項１に記載の情報処理装置。
【請求項３】
前記第２のとじ方は、印刷された複数のシートを重ねた後に２つに折ることにより冊子を生成する中とじである、
ことを特徴とする請求項２に記載の情報処理装置。
【請求項４】
前記表示制御手段は、前記冊子のページをめくることで現れるページの順序に従って並べられたページデータに基づくページプレビュー画像を含む編集画面を表示し、
前記中とじが設定された場合、前記表示制御手段は、前記冊子のページをめくることで現れるページの順序とは異なる順序で複数のページデータが配置された前記シートプレビュー画像を含む前記設定画面を表示する、
ことを特徴とする請求項３に記載の情報処理装置。
【請求項５】
前記表示制御手段は、
前記冊子のとじ方向が第１の方向である場合に第１の順序で前記シートプレビュー画像が並べられた前記設定画面を前記表示手段に表示させ、
前記冊子のとじ方向が前記第１の方向と異なる第２の方向である場合に、前記第１の順序と異なる第２の順序で前記シートプレビュー画像が並べられた前記設定画面を前記表示手段に表示させる、
ことを特徴とする請求項１から４のいずれか１項に記載の情報処理装置。
【請求項６】
前記表示制御手段は、ユーザによって選択されたシートの表面と裏面とのいずれか一方を印刷するか両面を印刷するかの選択を受け付けるための第２のインタフェースをさらに含んだ前記設定画面を前記表示手段に表示させる、
ことを特徴とする請求項１から５のいずれか１項に記載の情報処理装置。
【請求項７】
前記表示制御手段は、複数のシートが選択されている場合には、前記第２のインタフェースを前記表示手段に表示させない、
ことを特徴とする請求項６に記載の情報処理装置。
【請求項８】
前記特定されたシートに配置されるべきページデータを用いて印刷を指示する指示手段をさらに有する、
ことを特徴とする請求項１から７のいずれか１項に記載の情報処理装置。
【請求項９】
コンピュータに、
冊子のデータに含まれる複数のページデータと印刷設定情報に基づいて当該冊子を構成するシートの印刷結果を示すシートプレビュー画像と当該シートの選択を受け付けるためのインタフェースとが含まれる設定画面を表示手段に表示させる表示制御を行わせ、
前記設定画面において前記インタフェースを介したシートの選択をユーザから受け付けることにより、印刷を実行するシートを特定させる、
ためのプログラム。
【請求項１０】
前記表示制御において、
前記冊子のとじ方が第１のとじ方である場合に、第１のレイアウトを用いて前記ページデータが割り付けられた前記シートプレビュー画像を含む前記設定画面を前記表示手段に表示させ、
前記冊子のとじ方が前記第１のとじ方と異なる第２のとじ方である場合に、前記第１のレイアウトと異なる第２のレイアウトを用いて前記ページデータが割り付けられた前記シートプレビュー画像を含む前記設定画面を前記表示手段に表示させる、
ことを特徴とする請求項９に記載のプログラム。
【請求項１１】
前記第２のとじ方は、印刷された複数のシートを重ねた後に２つに折ることにより冊子を生成する中とじである、
ことを特徴とする請求項１０に記載のプログラム。
【請求項１２】
前記表示制御において、前記冊子のページをめくることで現れるページの順序に従って並べられたページデータに基づくページプレビュー画像を含む編集画面を表示させ、
前記中とじが設定された場合、前記表示制御において、前記冊子のページをめくることで現れるページの順序とは異なる順序で複数のページデータが配置された前記シートプレビュー画像を含む前記設定画面を表示させる、
ことを特徴とする請求項１１に記載のプログラム。
【請求項１３】
前記表示制御において、
前記冊子のとじ方向が第１の方向である場合に第１の順序で前記シートプレビュー画像が並べられた前記設定画面を前記表示手段に表示させ、
前記冊子のとじ方向が前記第１の方向と異なる第２の方向である場合に、前記第１の順序と異なる第２の順序で前記シートプレビュー画像が並べられた前記設定画面を前記表示手段に表示させる、
ことを特徴とする請求項９から１２のいずれか１項に記載のプログラム。
【請求項１４】
前記表示制御において、ユーザによって選択されたシートの表面と裏面とのいずれか一方を印刷するか両面を印刷するかの選択を受け付けるための第２のインタフェースをさらに含んだ前記設定画面を前記表示手段に表示させる、
ことを特徴とする請求項９から１３のいずれか１項に記載のプログラム。
【請求項１５】
前記表示制御において、複数のシートが選択されている場合には、前記第２のインタフェースを前記表示手段に表示させない、
ことを特徴とする請求項１４に記載のプログラム。
【請求項１６】
前記コンピュータに、さらに、前記特定されたシートに配置されるべきページデータを用いて印刷を指示させる、
ことを特徴とする請求項９から１５のいずれか１項に記載のプログラム。
【請求項１７】
情報処理装置の制御方法であって、
表示制御手段が、冊子のデータに含まれる複数のページデータと印刷設定情報に基づいて当該冊子を構成するシートの印刷結果を示すシートプレビュー画像と当該シートの選択を受け付けるためのインタフェースとが含まれる設定画面を表示手段に表示させる表示制御工程と、
特定手段が、前記設定画面において前記インタフェースを介したシートの選択をユーザから受け付けることにより、印刷を実行するシートを特定する特定工程と、
を有することを特徴とする制御方法。
【発明の詳細な説明】
【技術分野】
【０００１】
本発明は、製本印刷技術に関する。
【背景技術】
【０００２】
プリンタに冊子の印刷を行わせる技術が存在する。特許文献１には、製本印刷を行う印刷方法が記載されており、製本印刷を行う際に、用紙番号を指定して印刷することも可能であることが記載されている。
【先行技術文献】
【特許文献】
【０００３】
【特許文献１】特開２００３−１６２５２０号公報
【発明の概要】
【発明が解決しようとする課題】
【０００４】
冊子を印刷する場合、特定のページの印刷ミスが発生した場合等において、そのページのみを再度印刷したい状況が発生しうる。しかしながら、特許文献１の技術では、印刷したい特定のページがどの用紙に割り付けられているかをユーザが認識している必要があり、さらなる利便性の向上が求められていた。
【０００５】
本発明はかかる課題に鑑みなされたものであり、製本印刷の利便性を向上させる技術を提供する。
【課題を解決するための手段】
【０００６】
本発明の一態様による情報処理装置は、冊子のデータに含まれる複数のページデータと印刷設定情報に基づいて当該冊子を構成するシートの印刷結果を示すシートプレビュー画像と当該シートの選択を受け付けるためのインタフェースとが含まれる設定画面を表示手段に表示させる表示制御手段と、前記設定画面において前記インタフェースを介したシートの選択をユーザから受け付けることにより、印刷を実行するシートを特定する特定手段と、を有する。
【発明の効果】
【０００７】
本発明によれば、製本印刷の利便性を向上させることができる。
【図面の簡単な説明】
【０００８】
【図１】システム構成例及び装置のハードウェア構成例を示す図である。
【図２】情報処理装置のソフトウェア構成例を示す図である。
【図３】製本アプリケーションの基本設定画面の例を示す図である。
【図４】製本アプリケーションにおける編集画面の例を示す図である。
【図５】製本アプリケーションにおける編集画面の例を示す図である。
【図６】製本アプリケーションにおける編集画面の例を示す図である。
【図７】製本アプリケーションにおける編集画面の例を示す図である。
【図８】製本アプリケーションにおける編集画面の例を示す図である。
【図９】製本アプリケーションにおける編集画面の例を示す図である。
【図１０】製本アプリケーションの印刷設定画面の例を示す図である。
【図１１】ページ指定印刷の設定画面の例を示す図である。
【図１２】ページ指定印刷の設定画面の例を示す図である。
【図１３】ページ指定印刷の設定画面の例を示す図である。
【発明を実施するための形態】
【０００９】
以下、本発明の実施の形態について、図面を参照しながら説明する。
【００１０】
（システム及び装置の構成）
図１を用いて、本実施形態に係るシステムの構成例について説明する。本システムは、情報処理装置１０１と印刷装置１５１とを含んで構成され、情報処理装置１０１が用意した印刷データを、ネットワークを介して印刷装置１５１に送信することによって印刷処理が実行される。なお、情報処理装置１０１と印刷装置１５１との間の通信は、例えば、ＩＥＥＥ８０２．１１規格シリーズに準拠した無線ＬＡＮによって、アクセスポイント１３１を介して行われうる。なお、以下では、アクセスポイント１３１を用いたネットワーク構成に基づく実施形態について説明するが、情報処理装置１０１と印刷装置１５１とが相互に通信可能となる他の構成が用いられてもよい。例えば、情報処理装置１０１と印刷装置１５１は、不図示の有線回線を介して接続されてもよい。また、情報処理装置１０１の機能と印刷装置１５１の機能との両方を有する装置が用いられてもよく、この場合、情報処理装置１０１と印刷装置１５１との間の情報のやり取りは装置内のバス等を介して行われうる。また、図１に示す複数のブロックが１つのブロックに統合されてもよいし、１つのブロックが複数のブロックに分割されてもよい。また、図１に示される以外のブロックが追加されてもよいし、図１に示すブロックのうちの１つ以上が省略されてもよい。
【００１１】
情報処理装置１０１は、例えば、パーソナルコンピュータ（ＰＣ）、スマートフォン、携帯端末、ノートＰＣ、タブレット端末、ＰＤＡ（Ｐｅｒｓｏｎａｌ  Ｄｉｇｉｔａｌ  Ａｓｓｉｓｔａｎｔ）等、印刷対象データを印刷データに変換可能な演算装置である。印刷装置１５１は、情報処理装置１０１等の外部装置から印刷データを取得して印刷処理を実行可能な任意のプリンタである。印刷装置１５１による印刷は、本実施形態ではインクジェット方式で実行されるものとするが、例えば電子写真方式等の他の任意の方式で印刷が実行されてもよい。また、印刷装置１５１は、複写機能、ＦＡＸ機能、印刷機能等の複数の機能を有する複合機であってもよい。
【００１２】
情報処理装置１０１は、例えば、入力インタフェース１０２、ＣＰＵ１０３、ＲＯＭ１０４、ＲＡＭ１０５、外部記憶装置１０６、出力インタフェース１０７、通信部１０９、及び近距離無線通信部１１０を含んで構成される。ここで、ＣＰＵ、ＲＯＭ、及びＲＡＭは、それぞれ、Ｃｅｎｔｒａｌ  Ｐｒｏｃｅｓｓｉｎｇ  Ｕｎｉｔ、Ｒｅａｄ  Ｏｎｌｙ  Ｍｅｍｏｒｙ、及びＲａｎｄｏｍ  Ａｃｃｅｓｓ  Ｍｅｍｏｒｙの頭字語である。なお、図１では、情報処理装置１０１が外部のディスプレイ等の表示装置（表示部１０８）に情報を表示させる場合の例を示しているが、情報処理装置１０１内部に表示部１０８が含まれてもよい。
【００１３】
入力インタフェース１０２は、ユーザからのデータ入力や動作指示を受け付けるためのインタフェースである。入力インタフェース１０２は、例えば、物理キーボード、ボタン、タッチパネル等によって構成される。なお、画面の出力とユーザからの操作の受け付けとを共通のハードウェアを用いて行うように、後述の出力インタフェース１０７と入力インタフェース１０２とが統合されてもよい。
【００１４】
ＣＰＵ１０３は、システム制御部であり、情報処理装置１０１の全体を制御する。ＲＯＭ１０４は、ＣＰＵ１０３が実行する制御プログラムやデータテーブル、組み込みオペレーティングシステム（以下、「ＯＳ」と呼ぶ。）プログラム等の固定データを格納する。本実施形態では、ＲＯＭ１０４に格納されている各制御プログラムは、ＲＯＭ１０４に格納されている組み込みＯＳの管理下で、スケジューリングやタスクスイッチ、割り込み処理等のソフトウェア実行制御を行う。ＲＡＭ１０５は、バックアップ電源を必要とするＳＲＡＭ（Ｓｔａｔｉｃ  Ｒａｎｄｏｍ  Ａｃｃｅｓｓ  Ｍｅｍｏｒｙ）等で構成される。なお、ＲＡＭ１０５は、不図示のデータバックアップ用の１次電池によってデータが保持されるため、プログラム制御変数等の重要なデータを揮発させずに格納することができる。また、情報処理装置１０１の設定情報や管理データ等を格納するメモリエリアも、ＲＡＭ１０５に設けられうる。また、ＲＡＭ１０５は、ＣＰＵ１０３の主メモリ及びワークメモリとして、用いられうる。
【００１５】
外部記憶装置１０６は、印刷実行機能を提供するアプリケーション、印刷装置１５１が解釈可能な印刷情報を生成する印刷情報生成プログラム等を保存する。また、外部記憶装置１０６は、通信部１０９を介して接続している他装置（例えば印刷装置１５１）との間で情報を送受信するための制御プログラム等の各種プログラムや、これらのプログラムが使用する各種情報を保存しうる。
【００１６】
出力インタフェース１０７は、表示部１０８がデータの表示や情報処理装置１０１の状態の情報の提示のための情報提示制御（情報表示制御）を行うインタフェースである。出力インタフェース１０７は、例えば、表示部１０８に情報を表示させるための制御情報及び表示対象情報を出力する。表示部１０８は、ＬＥＤ（発光ダイオード）やＬＣＤ（液晶ディスプレイ）等を含んで構成され、データの表示や情報処理装置１０１の状態をユーザに通知する。なお、表示部１０８上に、数値入力キー、モード設定キー、決定キー、取り消しキー、電源キー等のキーを含んだソフトキーボードを表示させ、そのソフトキーボードを介してユーザからの入力を受け付けてもよい。
【００１７】
通信部１０９は、印刷装置１５１等の外部装置と接続してデータ通信を実行するためのベースバンド回路や無線周波数（ＲＦ）回路等を含んで構成される。例えば、通信部１０９は、情報処理装置１０１や印刷装置１５１とは別個に存在するアクセスポイント１３１を介して、印刷装置１５１と通信しうる。アクセスポイント１３１は、例えば、ＩＥＥＥ８０２．１１規格シリーズに準拠した無線通信方式に従って動作する無線ＬＡＮルータ等の機器でありうる。また、通信部１０９は、Ｗｉ−Ｆｉ（Ｗｉｒｅｌｅｓｓ  Ｆｉｄｅｌｉｔｙ）  Ｄｉｒｅｃｔ（登録商標）等のプロトコルに従って、印刷装置１５１と直接接続を確立してもよい。さらに、印刷装置１５１が不図示のアクセスポイントを含んでいる場合、通信部１０９は、そのアクセスポイントに接続することにより、印刷装置１５１との直接接続を確立してもよい。なお、通信部１０９は、Ｗｉ−Ｆｉ（登録商標）で通信を行うように構成されうるが、Ｂｌｕｅｔｏｏｔｈ（登録商標）等の他の無線通信方式によって通信を行うようにしてもよい。
【００１８】
近距離無線通信部１１０は、印刷装置１５１（外部装置）が所定の近距離範囲内に進入したことに少なくとも基づいて、印刷装置１５１の近距離無線通信部１５７と無線接続を確立してデータ通信を実行する。近距離無線通信部１１０は、例えばＢｌｕｅｔｏｏｔｈ  Ｌｏｗ  Ｅｎｅｒｇｙ（ＢＬＥ）などの、通信部１０９とは異なる通信方式によって通信を行う。
【００１９】
印刷装置１５１は、例えば、ＲＯＭ１５２、ＲＡＭ１５３、ＣＰＵ１５４、プリントエンジン１５５、通信部１５６、近距離無線通信部１５７を含んで構成される。
【００２０】
通信部１５６は、情報処理装置１０１等の外部装置と接続するためのベースバンド回路や無線周波数（ＲＦ）回路等を含んで構成される。通信部１５６は、情報処理装置１０１の通信部１０９と対応し、例えばＷｉ−ＦｉやＢｌｕｅｔｏｏｔｈ等の無線通信方式によって通信を行う。通信部１５６は、例えば、上述のように、アクセスポイントとして機能し又は所定のプロトコルに従って、情報処理装置１０１の通信部１０９と直接接続してもよいし、外部のアクセスポイント１３１等を介して接続してもよい。通信部１５６は、アクセスポイントとして機能する場合、アクセスポイントとして機能するためのハードウェアを有してもよいし、アクセスポイントとして機能することを可能とするソフトウェアを利用してもよい。なお、情報処理装置１０１と印刷装置１５１は、図１の例では１つのアクセスポイント１３１に接続されているが、それぞれが、ネットワークに接続された別個のアクセスポイントに接続し、ネットワークを介して接続してもよい。
【００２１】
近距離無線通信部１５７は、情報処理装置１０１（外部装置）が所定の近距離範囲内に進入したことに少なくとも基づいて、情報処理装置１０１の近距離無線通信部１５７と無線接続を確立してデータ通信を実行する。近距離無線通信部１５７は、情報処理装置１０１の近距離無線通信部１５７と対応し、例えばＢＬＥ等の無線通信方式によって通信を行う。なお、例えば、情報処理装置１０１等から送信される印刷情報は、データ量が大きく、高速大容量通信が要求されるため、近距離無線通信部１５７よりも高速に通信可能な通信部１５６を介して受信される。
【００２２】
ＲＡＭ１５３は、ＲＡＭ１０５と同様のメモリである。ＲＡＭ１５３には、印刷装置１５１の設定情報や管理データ等を格納するメモリエリアが設けられる。また、ＲＡＭ１５３は、ＣＰＵ１５４の主メモリとワークメモリとしても用いられ、情報処理装置１０１等から受信した印刷情報を一時的に保存するための受信バッファとして機能し、また、各種の情報を保存する。ＲＯＭ１５２は、ＣＰＵ１５４が実行する制御プログラムやデータテーブル、ＯＳプログラム等の固定データを格納する。ＲＯＭ１５２に格納されている各制御プログラムがＣＰＵ１５４によって実行されることにより、ＲＯＭ１５２に格納されている組み込みＯＳの管理下で、スケジューリングやタスクスイッチ、割り込み処理等のソフトウェア実行制御が実行されうる。ＣＰＵ１５４は、システム制御部であり、印刷装置１５１の全体を制御する。なお、印刷装置１５１には、外付けＨＤＤやＳＤカード等のメモリがオプション機器として装着されてもよく、印刷装置１５１に保存される情報は、そのようなメモリに保存されてもよい。
【００２３】
プリントエンジン１５５は、ＲＡＭ１５３に保存された情報や情報処理装置１０１等から受信した印刷情報に基づいて、インク等の記録剤を用いて紙等の記録媒体上に画像を形成して、印刷結果を出力する。
【００２４】
図２は、情報処理装置１０１の機能構成例を示す図である。情報処理装置１０１は、その機能構成として、例えば、後述の処理を実行する製本アプリケーション２０１と、印刷装置１５１が解釈可能な印刷データを生成するプリンタドライバ２０２とを有する。後述の製本アプリケーション２０１の画面において印刷指示がユーザによって入力された場合に、プリンタドライバ２０２は、製本アプリケーション２０１から出力されたアプリケーションデータを受信し、印刷データを生成する。なお、製本アプリケーション２０１の画面における印刷指示は、例えば、図１０のＯＫボタンを押下することに相当する。そして、プリンタドライバ２０２が、製本アプリケーション２０１によって生成された印刷データを印刷装置１５１に送信することにより、印刷装置１５１において印刷処理が実行される。
【００２５】
（製本アプリケーションの動作の概要）
続いて、上述の製本アプリケーション２０１による製本動作の流れの例について説明する。図３は、情報処理装置１０１のＣＰＵ１０３が、例えばＲＯＭ１０４や外部記憶装置１０６に記憶された製本アプリケーション２０１に対応するプログラムを実行することによって、表示部１０８に表示される基本設定画面の例を示している。基本設定画面３００は、一例として、製本後のイメージ３０１と、プリンタ選択領域３０２と、用紙サイズ選択領域３０３と、とじ方設定領域３０４と、とじ方向設定領域３０５と、表紙の用紙に関する設定領域３０６とを含む。なお、本実施形態では、特に断りが無い限り、ＣＰＵ１０３が、製本アプリケーション２０１に関するプログラムを読み出して実行することで、図３から図１３の表示制御を実行する。
【００２６】
プリンタ選択領域３０２は、使用する印刷装置を選択する領域である。プリンタ選択領域３０２のプルダウンボタンがユーザ操作によって押下されると、情報処理装置１０１が使用可能な印刷装置のリストが表示され、ユーザは、この製本アプリケーション２０１による冊子の作成に用いる印刷装置を選択することができる。なお、プリンタ選択領域３０２のプルダウンボタンを押下された場合に表示される印刷装置の一覧は、製本アプリケーション２０１に対応可能な印刷装置のみが表示されうる。ただしこれに限られず、例えば、製本アプリケーション２０１への対応可否によらず、情報処理装置１０１が使用可能な印刷装置が全て表示されてもよい。
【００２７】
用紙サイズ選択領域３０３は、製本に使用する用紙のサイズを選択する領域である。用紙サイズ選択領域３０３のプルダウンボタンがユーザ操作によって押下されると、プリンタ選択領域３０２において選択されている印刷装置が使用可能な用紙サイズのリストを表示する。ユーザは、表示された用紙サイズのリストから、作成する冊子のサイズに応じたサイズを１つ選択することができる。なお、プリンタ選択領域３０２において選択されている印刷装置が使用可能な用紙サイズの情報は、その印刷装置から、例えばプリンタドライバ２０２を介して取得することができる。
【００２８】
とじ方設定領域３０４は、冊子のとじ方を設定する領域である。とじ方設定領域３０４のプルダウンボタンがユーザ操作によって押下されると、例えば「平とじ」と「中とじ」とが選択可能に表示される。「平とじ」は、冊子の背の部分から所定距離だけ離れた位置で、ステープル等を用いて製本するとじ方である。「中とじ」は、二つ折りにされた用紙の折り目の部分で、ステープル等を用いて製本するとじ方であり、印刷された複数のシートを重ねた後に２つに折ることにより冊子を生成するとじ方である。「中とじ」が選択されると、用紙が二つ折りにされることが前提となるため、２ｉｎ１印刷設定が自動的に選択されうる。なお、「中とじ」が選択された場合には、１ｉｎ１以外の、例えば４ｉｎ１等の設定が選択可能に表示されてもよい。なお、「平とじ」が選択された場合には、１ｉｎ１印刷設定が自動的に選択されうる。ただし、この場合にも、２ｉｎ１や４ｉｎ１等の設定が選択可能に表示されてもよい。なお、「中とじ」の場合に２ｉｎ１が選択されなかった場合や「平とじ」の場合に１ｉｎ１が選択されなかった場合には、それに応じて、後述のページ割り付けが異なることとなる。
【００２９】
とじ方向設定領域３０５は、冊子のとじ方向を設定する領域である。とじ方向設定領域３０５のプルダウンボタンがユーザ操作によって押下されると、例えば「右とじ」と「左とじ」とが選択可能に表示される。場合によっては、「天とじ」が選択可能に表示されてもよい。「右とじ」は、表表紙の右側を綴じるとじ方向であり、「左とじ」は、表表紙の左側を綴じるとじ方向である。また、「天とじ」は、表紙の上部を綴じるとじ方向である。とじ方向設定領域３０５の「とじ方向」の文字は、「開き方向」等に置き換えられてもよい。右開きが右とじに対応し、左開きが左とじに対応する。この領域の設定により、作成される冊子のページが右から左へ進行するか、左から右へ進行するかが定まる。
【００３０】
表紙の用紙に関する設定領域３０６は、表紙の用紙をどのようにするかを設定する領域である。例えば、表紙と本文とを同じ種類の用紙で作成する項目と、異なる種類の用紙で作成する項目とを選択可能とするラジオボタンが表示される。なお、設定領域３０６において、表紙と本文とを同じ種類の用紙で作成する場合は、本文の用紙種類（例えば「普通紙」等）が、表紙の用紙種類として設定されるため、表紙の用紙種類を選択可能とする領域については選択できないようにグレーアウトされうる。一方、設定領域３０６において、表紙と本文とを別の種類の用紙で作成する設定が選択された場合は、この表紙の用紙種類を選択可能とする領域がアクティブ化される。そして、表紙の用紙種類を設定する領域におけるプルダウンボタンが押下された場合に、選択可能な用紙種類（例えば、光沢紙、普通紙等）が一覧表示される。なお、例えば「普通紙」が選択された場合に「フチなし印刷はできません」という文字列や「光沢紙」が選択された場合に「フチなし印刷ができます」という文字列等が表示されうる。この他にも、用紙種類ごとに必要な情報が設定され、ユーザ操作によって選択された用紙種類に応じた文字列が表示されるようにしてもよい。また、表紙と本文とを別の種類の用紙で作成する設定が選択された場合、「表紙／本文、別々の用紙をセットして印刷する必要があります」等のメッセージが表示されてもよい。
【００３１】
図３の基本設定画面において「ＯＫ」が押下されると、編集画面に遷移する。編集画面は、とじ方と表紙の用紙の種類を本文の用紙と同じにするか否か等の設定項目に応じて異なりうる。そこで、以下では、これらの基本設定に対応する編集画面の例について説明する。
【００３２】
［平とじ、表紙と本文が同じ種類の用紙で作成される場合］
図４に、とじ方が平とじ（１ｉｎ１）かつ右とじで、表紙と本文とが同じ種類の用紙を用いるような設定が行われた場合の編集画面の例を示している。なお、図４の例では、既に８ページ分（「Ａ」と書かれたページから「Ｈ」と書かれたページまで）のページデータが読み込まれた状態の例を示している。文書が読み込まれる前の段階において、編集領域４０１及び原稿データ領域４０２は、文書が読み込まれていないことをユーザが認識可能な所定の状態（例えば空白の状態）となる。なお、例えば文書が読み込まれる前の段階において、編集領域４０１に「冊子に載せる原稿データを読み込んでください」等のメッセージを表示してもよく、さらに、データの読み込み方をユーザに通知するメッセージが表示されてもよい。なお、このようなメッセージは原稿データ領域４０２に表示されてもよい。また、ダイアログの表示など、別の手法で原稿データの読み込みを促してもよい。なお、１つの原稿データが読み込まれてもよいし、複数の原稿データが読み込まれてもよい。
【００３３】
ユーザが「読み込み」ボタン４０３をクリックすると、例えばファイル選択ダイアログが表示され、ユーザは、表示されたファイル一覧から、冊子の作成に用いるファイル（原稿データ）を選択する。ファイルが選択されると、そのファイルに含まれるページデータが原稿データ領域４０２に展開される。同様に、そのファイルに含まれるページデータがページ順と基本設定画面３００における設定内容に基づいて自動的に割り付けられた結果が、編集領域４０１に表示されうる。自動ページ割り付けは、例えば、ファイル中の１ページ目〜４ページ目のページデータが、それぞれ「表表紙」、「裏表紙」、「表表紙の裏面（内側）」、及び「裏表紙の裏面（内側）」となるように、それ以降のページのページデータが本文となるように、行われうる。図４の編集領域４０１は、このようにして自動ページ割り付けが行われた場合の例を示している。展開されたファイルのうち、１ページ目である「Ａ」が書かれているページデータが表表紙に、２ページ目である「Ｂ」が書かれているページデータが裏表紙に、それぞれ割り付けられる。そして、３ページ目である「Ｃ」が書かれているページデータが表表紙の内側に、４ページ目である「Ｄ」が書かれているページデータが裏表紙の内側に、それぞれ割り付けられる。すなわち、製本アプリケーション２０１は、原稿データに含まれるページデータの割り付け結果である冊子のデータを生成し、生成された冊子のデータに基づいて図４の編集領域４０１に各ページのプレビュー画像を表示する。なお、ファイル中の１ページ目と２ページ目のページデータが、それぞれ「表表紙」及び「表表紙の内側」に割り付けられ、ファイル中の最後のページと最後から２ページ目のページデータが、それぞれ「裏表紙」及び「裏表紙の内側」に割り付けられるようにしてもよい。なお、図４及び以下のいくつかの例は右とじの場合の例を示しており、表表紙が最右端に表示され、裏表紙が最左端に表示されているが、左とじが選択されている場合には、表表紙が最左端に表示され、裏表紙が最右端に表示される。
【００３４】
なお、ファイルに含まれるページデータが原稿データ領域４０２に展開される際に、例えば「自動ページ割り付けをしますか？」等の確認メッセージを表示して、ページの割り付けを自動で行うか否かのユーザによる判断を受け付けてもよい。この場合、ユーザが自動ページ割り付けを承認した場合に、自動ページ割り付けが行われた結果が編集領域４０１に表示され、自動ページ割り付けが承認されなかった場合には、編集領域４０１は空白のままとしてもよい。また、ユーザの判断によらずに、自動ページ割り付けを行わず、選択されたファイルに含まれるページデータが原稿データ領域４０２に展開されるだけとしてもよい。なお、自動ページ割り付けが行われない場合であっても、ユーザが「すべてを追加」ボタン４０４をクリックすることにより、ファイルに含まれるページ順でページデータの自動ページ割り付けが行われうる。
【００３５】
なお、複数のファイルが読み出された場合、原稿データ領域４０２には、その複数のファイルに含まれる全てのページデータが展開される。このとき、展開されるページデータの順序を、プルダウンメニュー４０５によって決定することができる。例えば、図４に示すように「読み込み順」が選択されている場合、先に選択されたファイルのページデータであるほど左側に表示されるような順序で、ページデータが原稿データ領域４０２に展開される。これに対して、例えば「ファイル名順」（不図示）が選択されている場合、ファイル名が昇順（又は降順）となるように、ページデータが展開される。例えば、「Ｂ．ｐｄｆ」という名称のファイルの後に「Ａ．ｐｄｆ」という名称のファイルが開かれた場合、「読み込み順」の場合には、「Ｂ．ｐｄｆ」のデータが表示される位置の右側に「Ａ．ｐｄｆ」のページデータが表示される。一方、「ファイル名順」の場合には、「Ｂ．ｐｄｆ」の方が先に開かれていても、「Ａ．ｐｄｆ」のページデータが表示される位置の右側に「Ｂ．ｐｄｆ」のページデータが表示される。なお、並び順は、読み込み順とファイル名順に限定されず、例えばファイルの作成日（更新日）順や、本アプリケーションでの使用頻度順等の様々な順序が用いられうる。
【００３６】
編集領域４０１には、完成後の冊子のページをめくることによって表示される順序で割り付けられたページデータのイメージが表示される。なお、このページデータは、上述した冊子のデータに含まれる。すなわち、冊子のデータには、冊子を構成する複数のページに対応するページデータが含まれる。また、見開きで表示される２つのページの間の距離は、隣接するが見開きで表示されない他のページとの距離よりも小さくなるように表示が行われる。これにより、冊子の見開きを構成するページと見開きを構成しないページとをユーザが容易に判別することができる。図４の例では、「Ｃ」と書かれたページと「Ｅ」と書かれたページとの間の距離が十分に小さいことによって、これらのページが見開きを構成するページだと分かる。一方、「Ｅ」と書かれたページと「Ｆ」と書かれたページとの間の距離が「Ｃ」と書かれたページと「Ｅ」と書かれたページとの間の距離と比較して大きいことによって、これらのページは隣接しているが見開きを構成するページではないことが分かる。このようにして、冊子のデータに含まれる各ページのページデータに基づいて、全ページのイメージが編集領域４０１に表示される。なお、図４の例では、冊子のデータに含まれる全てのページの全体を表示できている場合の例を示しているが、このように全ページを表示する状態を維持したままページ数が多くなると、各ページのサイズが小さくなってしまいうる。このため、この製本アプリケーション２０１は、各ページの拡大縮小表示が可能なように構成されうる。このとき、編集領域４０１に全てのページが表示できない場合は、例えば編集領域４０１の下部にスクロールバーを表示させるなどによって、表示範囲を移動できるようにしうる。
【００３７】
なお、平とじが選択されている場合、ステープルによるとじ位置４０６も表示される。このとじ位置４０６の表示は、例えば所定の色（例えば赤）によってユーザが認識可能なように表示されうる。このとじ位置４０６の表示は、そのまま印刷され、ユーザは、ステープルを用いてこの位置で冊子を綴じることができる。
【００３８】
また、編集領域４０１に表示されるページには、印刷可能な領域と余白領域との境界を示す境界線４０７が表示される。そして、ユーザがページ設定４０８の領域内の各設定値を入力することにより、その設定値に基づいてページデータがページ内に配置される。例えば、ユーザは、ページ設定４０８において、原稿データを余白や用紙に合わせて拡大縮小するか、原寸大で表示するかの設定や、上下左右の位置の設定を行う。ここで、上下左右の位置は、例えば、負の値により原稿データのページ内での位置を上方向又は左方向に移動させ、正の値により原稿データのページ内での位置を下方向又は右方向に移動させる。これにより、ページデータがページ内でどのように配置されるかをユーザが詳細に設定することができる。なお、これらの設定は、ページ単位で適用されうる。例えば、編集領域４０１において「Ｅ」が書かれたページが選択された状態で、ページ設定４０８において設定値が入力されると、その設定値は、この選択されているページにのみ適用されうる。なお、ページ設定４０８において、「全ページに適用」が選択されることにより、入力された設定が全ページに対して一括で適用される。なお、このとき、ユーザは、「Ｅ」が書かれたページのページ枠４０９が強調表示されることにより選択したページを認識することができ、これにより、特定のページについての設定を行っていることを認識することができる。また、ユーザは、例えばアイコン４１０を押下することにより、このページを編集領域４０１から削除することができる。
【００３９】
また、ユーザは、「見開き」チェックボックス４１５を選択することにより、１つのページデータに対して見開き属性を設定することができる。図４のように「Ｅ」が書かれたページが選択された状態で「見開き」チェックボックス４１５が選択された場合の表示例を、図５に示す。「見開き」チェックボックス４１５が選択されると、選択されたページに対応するページデータに見開き属性が付与される。そして、見開き属性が付与されたページデータが編集領域上の２ページ分の領域に割り付けられる。ここで、図４、図５とは異なるが、本文の偶数ページ（右とじの場合は見開きの右側のページ、左とじの場合は見開きの左側のページ）が選択された状態で「見開き」チェックボックス４１５が選択されたケースについて説明する。このケースでは、選択されているページに割りつけられていたページデータが、その選択されているページを含む見開きの中央に表示される。そして、そのページより後のページが１ページずつ後ろにずれるようにページデータの再割り付けが行われる。すなわち、この場合、製本アプリケーション２０１は、選択されたページの後ろに１ページを追加することで新たな見開き領域を生成し、選択されていたページのページデータを新たな見開き領域の中央に配置する。
【００４０】
一方、図４で「Ｅ」が書かれたページのように、本文の奇数ページが選択される場合、その選択されたページの次のページは、選択されたページが含まれる見開きとは異なる見開きに含まれる。なお、奇数ページとは、右とじの場合は見開きの左側のページ、左とじの場合は見開きの右側のページを指す。このため、単に選択されたページの後ろに１ページを追加して新たな見開き領域を生成し、その新たな見開き領域に１つのページデータを割り付けるだけでは、製本アプリケーション２０１は、そのページデータを見開きとして表示することができない。このため、例えば図５のように、本文の奇数ページが選択された状態で「見開き」チェックボックス４１５が選択されると、その選択されたページの後ろのみならず前にも１ページを追加しうる。これにより、製本アプリケーション２０１は、選択されたページのページデータを１つの見開き領域に割り付けることができる。なお、この場合、選択されたページより後のページが２ページずつ後ろにずれるようにページデータの再割り付けが行われる。
【００４１】
奇数ページが選択された状態で「見開き」チェックボックス４１５が選択された場合に、ユーザに対して、その選択されたページの前に１ページが追加されることを通知するメッセージを表示してもよい。そして、ユーザがページの追加を承認した場合に、選択されているページデータに見開き属性を設定し、選択されているページデータを複数のページにまたがって配置してもよい。これにより、ユーザが意図しないページが追加されることを防ぐことができる。なお、ユーザがページの追加を承認しなかった場合、見開き属性の設定をキャンセルしてもよい。また、奇数ページが選択された状態で「見開き」チェックボックス４１５が選択された場合に、上述のようなメッセージを表示せずに、選択されたページの後に１ページ分のスペースを追加して２ページ分の領域に選択されたページを割り付けてもよい。なお、このような割り付けを行う場合、そのままでは選択されたページのページデータが見開き領域に配置されないことを示すメッセージを製本アプリケーション２０１が表示してもよい。
【００４２】
また、ページデータに対して見開き属性が設定された後に「見開き」チェックボックス４１５を解除することにより、そのページデータの見開き属性が解除される。その結果、割り付けた際に追加された（前後の）ページが削除され、そのページより後のページの再割り付けが行われる。なお、例えば奇数ページが見開きに割り付けられる際に追加された白紙ページ等のページについて、削除してよいか否かを示すメッセージが表示されてもよい。
【００４３】
なお、横長のページデータが編集領域４０１にドラッグ＆ドロップされた場合（又は自動割り付けされた場合）に、自動でそのページデータに見開き属性が設定されてもよい。この場合、「見開き」チェックボックス４１５は自動的にチェックが入った状態となる。また、このページデータの挿入位置が奇数ページである場合は、上述のように、そのページの前に空白ページ等が挿入されてもよいし、所定のエラー表示等が行われてもよい。また、横長のページデータに見開き属性が設定されて見開き領域に割り付けられた後に、「見開き」チェックボックス４１５が解除されることにより、その横長のページデータの見開き属性が解除される。その結果、その横長のページデータは、見開きを構成する片側のページに（例えば縮小や回転により）割り付けられうる。なお、横長のページデータに自動で見開き属性を設定せずに、縦長のページと同様に、片側のページに割り付けられるようにしてもよい。図４に戻り、選択されたページについて、そのページが含まれる見開きの製本後のイメージが冊子プレビュー４１１として表示されることにより、ユーザが、冊子完成後の選択中のページの状態を容易に認識することができる。なお、プレビュー中の「＜」又は「＞」が選択されることにより、隣接する見開きのプレビューが表示されうる。このとき、選択中のページも連動して移動してもよいし、選択中のページとプレビューとを同期させずにプレビューだけページ移動させてもよい。
【００４４】
ユーザは、原稿データ領域４０２に展開されたページデータを、ページ単位で操作することができる。ユーザは、例えば、原稿データ領域４０２内の１つのページデータを選択して、編集領域４０１にドラッグ＆ドロップすることにより、そのページデータを冊子における１ページとして追加することができる。図４では、原稿データ領域４０２に展開されたデータのうち「Ｃ」と書かれたページが選択されている状態を示している。このように選択されたページデータは、編集領域４０１の任意の位置にドラッグ＆ドロップされると、ドロップされた位置に対応するページとして冊子のデータに組み込まれる。例えば、編集領域４０１の「Ｆ」と書かれたページと「Ｇ」と書かれたページとの間の所定の範囲にこのページデータがドラッグ＆ドロップされる。この操作により、製本アプリケーション２０１は、「Ｆ」のページデータと「Ｇ」のページデータの間に「Ｃ」と書かれたページデータが挿入された冊子のデータを生成する。なお、このようなページデータの挿入が行われると、挿入後の冊子のデータに基づいて見開きの関係が再構成される。すなわち、「Ｆ」のページと新たに追加された「Ｃ」のページとが見開きの関係となり、「Ｇ」のページは「Ｃ」のページの追加に伴って「Ｈ」のページと見開きの関係となる。
【００４５】
また、ユーザは、「白ページを追加」ボタン４１２を押下することにより、白紙のページを追加することができる。例えば、「Ｃ」と書かれたページが選択された状態で「白ページを追加」ボタン４１２が押下された場合に、「Ｃ」と書かれたページと「Ｅ」と書かれたページとの間に白紙のページが追加される。この場合、製本アプリケーション２０１は、「Ｃ」と「Ｅ」のページデータ間に白紙のページデータが含まれた冊子のデータを生成する。また、事前に定められたルールによって選択中のページの右若しくは左に、又は２つのページが選択された場合にその間に、白紙のページを追加するようにしてもよい。これにより、表紙の裏面を白紙にしたい場合、又はユーザの嗜好等に従って、冊子中の任意の位置に白紙のページを追加することができる。
【００４６】
なお、原稿データ領域４０２内のページデータが、編集領域４０１内で使用されている場合に、それを特定する情報が各データの左上に付される。図４では、「Ａ」と書かれたページデータと「Ｃ」と書かれたページデータが表表紙（及びその裏面）に使用されている。そして、「Ｂ」と書かれたページデータと「Ｄ」と書かれたページデータが裏表紙（及びその裏面）に使用されている。そして、他のページデータが本文に用いられている。これにより、例えば、冊子内のページとして含めるべきページデータが編集領域４０１で使用されていないことや、冊子内に含める予定がないページデータが使用されてしまっていることをユーザが認識できる。また、ユーザは、表紙に使用されるページデータが適切であるか否かを認識することもできる。また、ユーザは、原稿データ領域４０２において、冊子作成に使用しないページデータを削除することができる。例えば、選択状態にあるデータの右上に表示されるアイコン４１３をユーザが選択することにより、この選択されたページデータを原稿データ領域４０２から削除することができる。これにより、原稿データ領域４０２内に多数の使用されないデータが存在することに起因して編集作業が煩雑となることを防ぐことができる。
【００４７】
また、原稿データ領域４０２において、複数のデータを選択して一括して操作することができる。例えば、「Ｃ」と書かれたページデータと「Ｄ」と書かれたページデータとが選択された状態で、それらのページデータをまとめて編集領域４０１にドラッグ＆ドロップする。この操作により、これらのページデータが２つの連続するページとして冊子のデータに挿入される。３つ以上のページデータが選択された場合も同様である。また、複数のページデータが選択された状態で「複数を削除」ボタン４１４が押下されると、これらの複数のページデータを一括して原稿データ領域４０２から削除することができる。なお、「複数を削除」ボタン４１４は、１つのデータが選択されている場合又はデータが選択されていない場合は、例えばグレーアウトされるなど、無効化されうる。
【００４８】
ユーザは、以上のようにして冊子の編集を完了すると、印刷設定ボタン４１６を押下し、冊子の印刷を実行することができる。すなわち、製本アプリケーション２０１は、これまでの編集処理に従う順序で並べられたページデータを含む冊子のデータに基づいてアプリケーションデータを出力する。そしてプリンタドライバ２０２は、出力されたアプリケーションデータに基づいて印刷データを生成する。なお、平とじ（１ｉｎ１）の場合、ｎを１以上の整数とした場合に、（２ｎ−１）ページ目と２ｎページ目とが表裏の関係となるような両面印刷が行われる。なお、表表紙とその裏面、及び、裏表紙とその裏面が表裏の関係となるように両面印刷が行われる。
【００４９】
［中とじ、表紙と本文が同じ種類の用紙で作成される場合］
続いて、とじ方が中とじ（２ｉｎ１）で、表紙と本文とが同じ種類の用紙を用いるような設定が行われた場合の編集画面の例について、図６を用いて説明する。この場合の編集画面は、図４の場合とほとんど同様である。ただし、中とじの場合、とじ位置がページとページとの間となるため、図６の画面例６００に示すようにとじ位置を示すマークが表示されない。なお、紙面へ印刷した場合に、ページとページとの間の所定の位置にとじ位置のマークが表示されてもよい。
【００５０】
なお、とじ方が中とじ（２ｉｎ１）の場合、２ｉｎ１で両面印刷がされるため、１枚の紙面当たりのページ数は４ページとなる。このため、編集領域４０１に追加されたページ数が４の倍数でない場合、総ページ数が４の倍数となるように、例えば最後尾に白紙等のページが追加されうる。
【００５１】
なお、中とじ（２ｉｎ１）かつ右とじの場合、ページ総数をＮとし、ｍを０以上の整数とした場合に、１枚の用紙に対して、表面に、（Ｎ／２＋２ｍ＋２）ページ目が右側で（Ｎ／２−２ｍ−１）ページ目が左側となる面が印刷される。そして、その裏面に、（Ｎ／２−２ｍ）ページ目が右側で（Ｎ／２＋２ｍ＋１）ページ目が左側となる面が印刷される。例えば、Ｎ＝８の場合、６ページ目が右側で３ページ目が左側の表面と、４ページ目が右側（３ページ目の裏側）で５ページ目が左側（６ページ目の裏側）の裏面とが１枚の用紙の両面に印刷される。同様に、８ページ目が右側で１ページ目が左側の表面と、２ページ目が右側（１ページ目の裏側）で７ページ目が左側（８ページ目の裏側）の裏面とが１枚の用紙の両面に印刷される。また、裏表紙が右側で表表紙が左側に配置される表面と、表表紙の裏面が右側で裏表紙の裏面が左側に配置される裏面とが１枚の用紙の両面に印刷される。なお左とじの場合については、上述の右側と左側との関係が逆転する点を除いて同様である。
【００５２】
［平とじ、表紙と本文が別の種類の用紙で作成される場合］
続いて、とじ方が平とじ（１ｉｎ１）で、表紙と本文とで別の種類の用紙を用いるような設定が行われた場合の編集画面の例について、図７及び図８を用いて説明する。表紙と本文とで別の種類の用紙を用いる場合、図７のような表紙用の編集画面７００と、図８のような本文用の編集画面８００とが用いられる。なお、必ずしもこのような形態でなければならないわけではないが、少なくとも印刷を表紙と本文とで別個に行うことができるように構成される。すなわち、この場合、ユーザは、製本アプリケーション２０１に対して表紙用の印刷指示と本文用の印刷指示とを個別に行う必要がある。表紙用の編集画面７００と本文用の編集画面８００とが別個である場合、それらの切り替えのためのボタンが、例えば、図７の表紙選択ボタン７０１と本文選択ボタン７０２のように、編集領域４０１の内部に表示される。表紙選択ボタン７０１がユーザによって選択されると、図７のような表紙用の編集画面７００が表示され、本文選択ボタン７０２がユーザによって選択されると、図８のような本文用の編集画面８００が表示される。なお、これらのボタンは、編集領域４０１の外部に表示されてもよい。また、ボタンの形式ではなく、例えばタブ形式で、表紙用の編集画面のためのタブと本文用の編集画面のためのタブとを表示し、いずれかのタブを選択することによって画面を切り替えられるようにしてもよい。
【００５３】
表紙用の編集画面では、図７のように、表表紙及び裏表紙のみが表示される。なお、表表紙と裏表紙は、背表紙側から冊子を見た場合の形式で表示される。すなわち、右とじの場合、左側に表表紙が表示され、右側に裏表紙が表示される。一方、左とじの場合は、右側に表表紙が表示され、左側に裏表紙が表示される。平とじが用いられる場合はとじ位置が表示されるが、このような表紙用の編集画面では、図７に示すように、表表紙と裏表紙とが並べて配置されている中心側にこのとじ位置が表示されることとなる。このように、表紙用の編集画面７００では、図４や図６のような表紙と本文とが一括で編集される編集画面と比して、表表紙と裏表紙との位置関係が反転する。このような表示を行うことにより、製本後の冊子を開いたときに背表紙側からどのように見えるかをユーザが容易に認識することが可能となる。
【００５４】
なお、本実施形態では、表紙と本文とが別の種類の用紙を用いる場合には、表表紙の裏面や裏表紙の裏面が使用されない（すなわち白紙となる）ものとするが、これに限られない。表表紙の裏面や裏表紙の裏面が使用される場合、表紙用の編集画面において、例えば表表紙の隣に表表紙の裏面が表示され、裏表紙の隣に裏表紙の裏面が表示される。図７の例では、表表紙の左側に表表紙の裏面が表示され、裏表紙の右側に裏表紙の裏面が表示されうる。
【００５５】
本文用の編集画面では、図８のように、表表紙及び裏表紙（並びにそれらの裏面）を除いた本文が編集領域に表示される。図８の編集画面は、表表紙及び裏表紙とそれらの裏面が含まれない点以外は図４と同様である。
【００５６】
［中とじ、表紙と本文が別の種類の用紙で作成される場合］
中とじが選択されており、表紙と本文とで別の種類の用紙を用いるような設定が行われた場合の編集画面は、とじ位置のマークは表示されない点を除いて、図７及び図８と同様である。なお、中とじの場合、上述のようにページ数が４の倍数である必要があるが、表紙と本文とで別の種類の用紙を用いる場合は、本文のページ数が４の倍数である必要がある。すなわち、上述の例では、表紙と本文とを合わせたページ数が４の倍数となるような調整が行われるように説明したが、本例では、本文のみのページ数が４の倍数となるような調整が行われる。この結果、本例では、表紙の裏面が片面印刷であるとすると、表紙と本文とを合わせたページ数は４の倍数にはならない（ａを整数とすると、総ページ数は４ａ＋２となる）。例えば、本文が６ページ分のデータを含むような編集が行われた場合、本文のページ数を４の倍数とするように、２ページ分の白紙ページ等の挿入が行われる。
【００５７】
なお、表紙と本文とで別の種類の用紙を用いる設定が行われた場合、表紙は、例えば光沢紙を使用することによって、フチなし印刷をすることができる。この場合の編集画面の例を図９に示す。フチなし印刷をする場合、印刷対象の画像を、仕上がりのサイズよりも大きいサイズとするような、いわゆる「塗り足し」をする必要がある。このため、光沢紙等のフチなし印刷可能な用紙が選択された場合には、塗り足しを含んだサイズの領域９０２と、その説明文９０３とが表示されうる。また、ページデータの拡大／縮小が、塗り足しを含んだサイズへ合わせることための選択肢９０１が表示される。これにより、ユーザは、簡単な操作を行うだけで、表紙をフチなし印刷で作成することが可能となる。
【００５８】
（印刷設定）
ユーザは、図４から図９に示される画面を使って編集処理が完了した場合、これらの画面に含まれる印刷設定ボタンを選択する。ユーザは、印刷設定ボタンを選択することで選択される印刷設定画面を使って更なる印刷設定処理を行い、印刷実行を選択する。この処理により製本アプリケーションにより生成されたアプリケーションデータが図３において選択したプリンタに対応するプリンタドライバに送付され、プリンタドライバがアプリケーションデータに基づく印刷データを生成する。なお、表紙と本文とを同一の紙に印刷する場合、アプリケーションデータには表紙に配置されるページと本文に配置されるページの両者が含まれる。一方、表紙と本文を別の紙に印刷する場合、表紙と本文とが別々に印刷されることになる。このため、上述した印刷設定画面が、印刷対象として表紙または本文を選択するための選択肢を用意する。ここでユーザが表紙を選択した状態で印刷を指示した場合、アプリケーションデータには表紙に配置されるページのみが含まれ、表紙用の印刷データがプリンタドライバにより生成される。一方、ユーザが本文を選択した状態で印刷を指示した場合、アプリケーションデータには本文に配置されるページのみが含まれ、本文用の印刷データがプリンタドライバにより生成される。
【００５９】
図１０に、図３のような基本設定がなされた状態で、図４等に示される画面において編集処理の完了後に印刷設定ボタンが選択された場合に表示される、印刷設定画面１０００の例を示す。印刷設定画面１０００は、領域１００１及び１００２と、印刷部数設定領域１００３と、印刷範囲を設定する領域１００４とを含む。
【００６０】
領域１００１及び領域１００２は、図３の基本設定画面３００で設定された情報を提示する領域である。ユーザは、領域１００１及び領域１００２の情報を変更する場合は、「キャンセル」を押下して編集画面に戻り、さらに編集画面で「基本設定」ボタンを押下することにより、図３の基本設定画面３００に戻って、その変更処理を行いうる。印刷部数設定領域１００３は、作成する冊子の冊数を設定する領域である。領域１００４は、本文と表紙との全てを印刷するか、一部のページのみを印刷するかを設定する領域である。例えば、ユーザは、「表紙と本文」に対応するラジオボタンを選択することにより、全てのページを一括で印刷することができる。なお、本文と表紙とが異なる種類の用紙で作成される場合、「本文と表紙」との表示が、「本文」及び「表紙」の２つの項目に分割される。これにより、本文の全てを一括で印刷する（表紙については印刷しない）モードと、表紙の全てを一括で印刷する（本文については印刷しない）モードとを選択することが可能となる。一方、ユーザは、「ページ指定」に対応するラジオボタンを選択することにより、一部のページのみを印刷することができる。なお「ページ指定」の右側に示されている数値「（１−８）」は、冊子のページ数を示しており、この場合は、印刷対象範囲が１ページ目から８ページ目であることが示されている。なお、全ページ数及びとじ方等の設定に応じて、用紙（シート）の枚数が定まり、その情報が領域１００５に表示される。これにより、ユーザは、印刷装置にセットすべき用紙枚数を認識することができる。
【００６１】
上述のように、従来技術では、用紙番号を指定して一部のページのみを印刷することができる。しかしながら、所定のページの用紙番号は、設定等によって定まりうる。このため、ユーザが設定した用紙番号では、予想していたページと異なるページが印刷されてしまうおそれがあった。
【００６２】
これに対して、本実施形態では、ユーザが直感的に印刷すべきページを選択することを可能とするための設定画面を提供する。すなわち、本実施形態では、図１０の「選択」ボタン１００６が押下されると、図１１（Ａ）に示すようなページ指定印刷の設定画面１１００が表示される。なお、説明のために、図１１（Ａ）及び同様の図面において、作成される冊子のページ数が４０ページ分であるものとする。この設定画面１１００は、用紙（シート）ごとのページレイアウトを表示する。すなわち、シートごとに割り付けられるページデータを判別可能なように、シートを示す枠１１０１内に、そのシートの表面及び裏面に印刷されるページデータのレイアウトが表示される。例えば、図１１（Ａ）の例では、右から２枚目のシートについて、表面に「本文３」と書かれたページデータが配置され、裏面に「本文４」と書かれたページデータが配置されることが示されている。なお、図１１（Ａ）及び以降の図面における「本文Ｘ」は便宜上の表現であり、実際には、そのページの内容のプレビュー画面が表示されうる。すなわち、原稿データから選択されたページデータの各コンテンツが表示される。なお、図１１などの設定画面に表示されるプレビュー画像は、冊子を構成するシートの印刷結果を示しているため、シートプレビュー画像と呼ぶこともある。シートプレビュー画像は、複数のページデータと印刷設定情報に基づいて生成される。ここで図４から図９に示される編集画面と、図１１から図１３に示される設定画面の差異について説明する。図４から図９において説明される編集画面は、印刷された冊子をユーザがめくることで現れるページの順序に従って並べられたページデータに基づくページプレビュー画像を含む。一方、後述する図１１から図１２は、印刷された冊子をユーザがめくることでページ順にページデータのコンテンツが現れるようにページデータがシートにレイアウトされた結果を示すシートプレビュー画像を含む。そのため、例えば中とじが設定されている場合、図６の編集画面では、印刷された冊子をユーザがめくることで現れるページの順序（つまり、１ページ目、２ページ目・・・の順序）に従ってページプレビュー画像が並べられている。一方、中とじが設定されている場合、シートには印刷された冊子をユーザがめくることで現れるページの順序（つまり、１ページ目、２ページ目・・・の順序）とは異なる順序でページデータがレイアウトされる。例えば、１枚目のシートの表面には、１ページ目と４０ページ目のページデータがレイアウトされ、１枚目のシートの裏面には２ページ目と３９ページ目のページデータがレイアウトされる。このように編集画面と設定画面では表示するプレビュー画像が異なる。
【００６３】
ページ指定印刷の設定画面１１００では、枠１１０１ごとに、対応するチェックボックス１１０２が設けられる。そして、ユーザは、チェックボックス１１０２にチェックを入れることにより、印刷対象のシートを選択することができる。なお、このチェックボックス１１０２は、図１１（Ａ）の場合は対応する枠１１０１の内側に示されているが、枠１１０１の外部の上下左右の所定位置や、枠１１０１の線上の所定位置など、枠１１０１との対応関係が判別可能な位置に配置されてもよい。また、チェックボックス１１０２は一例であり、シートを容易に選択可能なボタン等の別のインタフェースが用いられてもよい。また、チェックボックス１１０２がチェックされた場合に、そのチェックボックス１１０２に対応する枠１１０１内の領域の色が変化するなど、選択されたことを容易に認識可能とするための所定の表示が行われうる。図１１（Ａ）の例では、領域１１０３のような塗りつぶしによって、右から１枚目及び２枚目のシートが選択されていることが強調表示されている。この状態で「ＯＫ」ボタン１１０４が押下されると、選択されたシートの印刷が行われる設定が印刷設定画面１０００に反映される。そして、印刷設定画面１０００において「ＯＫ」ボタンが押下されると、その選択されたシートの印刷が行われる。なお、印刷対象のシートが選択されると、そのシートの枚数に応じて、領域１００５に表示される情報が変更されうる。これにより、印刷に要する用紙の枚数を正確にユーザに通知することができる。
【００６４】
なお、ページ指定印刷の設定画面１１００において「キャンセル」ボタン１１０５が押下されると、シートの選択が行われていたとしても、その選択を反映することなく、印刷設定画面１０００に戻る。
【００６５】
ページ指定印刷の設定画面１１００では、複数のシートをまとめて選択することができる。例えば、ユーザが「すべてを選択」ボタン１１０６を押下することにより、表示されている全てのシートに対応するチェックボックス１１０２にチェックが付される。ユーザは、例えばこの状態から一部のシートについてのチェックを外すことにより、個別にチェックボックス１１０２にチェックを入れることなく、多数のシートを一括して印刷対象とすることができる。また、ユーザは、「すべての選択を解除」ボタン１１０７を押下することにより、チェックが入っているチェックボックス１１０２から、チェックを外すことができる。これにより、どのシートも選択されていない初期状態に移行するため、ユーザは、印刷対象のシートの選択を再度行うことができる。また、ユーザは、「選択ページ以降を選択」ボタン１１０８を押下することにより、フォーカスしているページ以降のシートを一括して選択することができる。例えば、図１１（Ａ）において、ユーザが「本文６」と書かれたページを含むシートを選択した状態で「選択ページ以降を選択」ボタン１１０８を押下したものとする。この場合、右から３枚目のシートと、そのシートより左側に配置されている全シートのチェックボックス１１０２にチェックが付される。これによれば、例えば、紙詰まりやインク不足等によってあるページ以降の印刷に失敗していた場合で、成功した部分以外のページを再印刷する場合などに、印刷対象を容易に選択することが可能となる。同様に、ユーザは、「選択ページ以前を選択」ボタン１１０９を押下することにより、フォーカスしているページ以前のシートを一括して選択することができる。例えば、図１１（Ａ）において、ユーザが「本文６」と書かれたページを含むシートを選択した状態で「選択ページ以前を選択」ボタン１１０９を押下すると、右から１〜３枚目のシートのチェックボックス１１０２にチェックが入れられる。これによれば、例えば、最初の数ページ分の印刷に失敗していた場合に印刷失敗したページを再印刷する際などに、印刷対象を容易に選択することが可能となる。
【００６６】
なお、基本設定において右とじが選択された場合と左とじが選択された場合とで、シートの表示順序が異なっていてもよい。例えば、右とじが選択された場合は、ページが右から左へ進行するような図１１（Ａ）の設定画面１１００を表示し、左とじが選択された場合には、ページが左から右へ進行するような図１１（Ｂ）の設定画面１１１０を表示するようにしうる。これにより、ユーザが直感的に分かりやすいインタフェースを提供することができる。
【００６７】
図１２（Ａ）及び図１２（Ｂ）は、中とじが選択された場合のページ指定印刷の設定画面の例を示している。図１２（Ａ）は、右とじが選択された場合を例とした設定画面１２００であり、図１２（Ｂ）は、左とじが選択された場合を例とした設定画面１２１０である。上述のように、中とじ（２ｉｎ１）かつ右とじが選択されると、ページ総数をＮとし、ｍを０以上の整数とした場合に、１枚のシートに対して、（Ｎ／２＋２ｍ＋２）ページ目が対象シートの表面の右側に印刷され、かつ、（Ｎ／２−２ｍ−１）ページ目が対象シートの表面の左側に印刷される。そして、同一の対象シートの裏面の右側に（Ｎ／２−２ｍ）ページ目が印刷され、（Ｎ／２＋２ｍ＋１）ページ目が左側に印刷される。本例では、総ページ数Ｎが４０ページである場合の例を示している。このため、表面の右側には、（４０／２＋２ｍ＋２）ページ目（ｍ＝９の場合４０ページ目）、表面の左側には（４０／２−２ｍ−１）ページ目（ｍ＝９の場合１ページ目）が印刷される。また、裏面の右側には、（４０／２−２ｍ）ページ目（ｍ＝９の場合２ページ目）、裏面の左側には、（４０／２＋２ｍ＋１）ページ目（ｍ＝９の場合３９ページ目）が印刷される。同様に、左とじの場合、１枚のシートに対して、表面に、（Ｎ／２−２ｍ−１）ページ目が右側に、そして、（Ｎ／２＋２ｍ＋２）ページ目が左側に印刷される。そして、その裏面に、（Ｎ／２＋２ｍ＋１）ページ目が右側に、（Ｎ／２−２ｍ）ページ目が左側に印刷される。このように、中とじが選択される場合、各シートに印刷されるページを特定するために一定の計算をする必要がある。これに対して、本実施形態では、設定画面１２００（及び設定画面１２１０）のように、１枚のシートに印刷される全てのページが枠１２０１によって囲われることで、各シートに印刷される内容をユーザが視覚的に容易に把握できるようになる。そして、ユーザは、チェックボックス１２０２をチェックすることによって、印刷したいシートを容易に選択することができる。また、図１１（Ａ）及び図１１（Ｂ）の場合と同様に選択されたシートに対応する領域１２０３が塗りつぶされることで、選択されたシートをユーザが明確に認識することができる。
【００６８】
なお、冊子を印刷する際に、用紙が重なって搬送されること（重送）等によって、片面のみが印刷された用紙が出力されることがありうる。この場合、片面の印刷は正常に行われているため、その用紙を用いて裏面のみ印刷することが要求される場合がある。これに対応するために、例えば図１３（Ａ）及び図１３（Ｂ）に示すように、表面と裏面とをそれぞれ選択可能とするようなチェックボックス１３０２及び１３１２が、シートを選択するチェックボックス１３０１及び１３１１とは別個に設けられうる。このチェックボックス１３０２（チェックボックス１３１２）のいずれか一方のみがチェックされる（一方のチェックが外される）ことにより、選択したシートのうちの選択された片面に配置されたページデータのみが印刷対象として特定される。これにより、表面又は裏面の一方が印刷されるか、両面が印刷されるかの設定を容易に行うことができる。なお、図１３では面を指定するチェックボックス１３０２および１３１２が全シートに対して表示されているが、異なる形態の画面が表示されてもよい。例えば、チェックボックス１３０２及び１３１２は、１枚のシートが選択されている場合に選択されたシートの面にのみ表示されうる。つまり、チェックボックス１３０１（またはチェックボックス１３１１）が選択された場合、チェックボックス１３０２（またはチェックボックス１３１２）が表示される。一方、他のシートの面を指定するチェックボックスは非表示となる。また、複数のシートが選択されている場合は、チェックボックス１３０２及び１３１２は表示されなくてもよい。
【００６９】
なお、印刷設定画面１０００は、上述の設定画面を用いずに、印刷する対象のシートを特定する用紙番号の数値の受付を行うための選択肢が用意されてもよい。すなわち、上述の印刷対象のシートの選択のための、シートごとのページのレイアウト表示が１つのオプションとして用いられてもよく、レイアウト表示に基づくシート選択を用いない別の手法で、印刷対象のシートが特定されてもよい。
【００７０】
以上のように、本実施形態に係るページ指定印刷の設定画面によれば、冊子を構成する複数のシートのそれぞれに対する原稿データのページをレイアウト表示する。そして、その設定画面において、印刷対象のシートを受付可能とすることにより、印刷対象のシートの特定を容易にし、製本印刷の利便性を向上させることができる。
【００７１】
なお、図１１から図１２のいずれかを使って印刷対象とするシートが選択された状態で図１１から図１２に表示されるＯＫボタンが押下されると、製本アプリケーション２０１は、図１０の画面を表示する。このタイミングで図１０のＯＫボタンが押下された場合、製本アプリケーション２０１は、図１１から図１２のいずれかにおいて選択されたシートに配置されるべきページデータを使ってアプリケーションデータを生成し、プリンタドライバ２０２に印刷を指示する。一方、図１１から図１２を使って選択されていないシートに配置されるページデータは印刷されない。
【００７２】
また、図１３において１３０２または１３１２が選択された場合、製本アプリケーション２０１は、選択された面に配置されるページデータを使ってアプリケーションデータを生成し、プリンタドライバ２０２に印刷を指示する。
【００７３】
＜＜その他の実施形態＞＞
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００７４】
１０１：情報処理装置、１０２：入力インタフェース、１０３：ＣＰＵ、１０４：ＲＯＭ、１０５：ＲＡＭ、１０７：出力インタフェース、１０８：表示部、１０９：通信部、１５１：印刷装置、２０１：製本アプリケーション、２０２：プリンタドライバ
【図１】
2020004272.tif 000003
【図２】
2020004272.tif 000004
【図３】
2020004272.tif 000005
【図４】
2020004272.tif 000006
【図５】
2020004272.tif 000007
【図６】
2020004272.tif 000008
【図７】
2020004272.tif 000009
【図８】
2020004272.tif 000010
【図９】
2020004272.tif 000011
【図１０】
2020004272.tif 000012
【図１１】
2020004272.tif 000013
【図１２】
2020004272.tif 000014
【図１３】
2020004272.tif 000015